(57)【要約】  フィルムを収納容器から引き出す際に、フラップを起こしやすく、フィルムが摘みやすく、フィルムを収納容器からスムーズに引き出せる収納容器を提供する。  フィルム１２を巻いた巻回体２を収納する、開口面３０を有する容器本体１５であって、底板４と前板５と後板６と前板５に連接される副前板７とを有する容器本体と、後板に回動可能に連接され、開口面を塞ぐよう構成された蓋板２２とを備え、容器本体１５は、開口面３０から引き出されたフィルム１２の先端部を前板５から離間させるフラップ２０Ａを有し、フラップは先端３７を有し、フラップは第１の連接辺３８に沿った長さが、第１の連接辺から先端までの長さより長く、前板のフラップが切り起こされた一部分の底板に対向する側に、指をいれフィルムを摘み、引き出せる大きさの刳貫部２９Ａが形成された収納容器とする。
2012063673.tif 000002
【特許請求の範囲】
【請求項１】
ラップフィルムが円筒状に巻かれたラップ巻回体を収納する、一面が開口された容器本体であって、底板と、前記底板の一辺に立設された前板と、前記一辺に対向する前記底板の他の一辺に立設された後板と、前記底板の一辺に対向する第１の連接辺を有する副前板であって、前記第１の連接辺において前記前板に連接される副前板とを有する容器本体と；
前記底板の他の一辺に対向する第２の連接辺を有し、前記第２の連接辺において前記後板に回動可能に連接され、前記開口された一面を塞ぐよう構成された蓋板と；
前記第２の連接辺に対向する前記蓋板の一辺に立設され、前記蓋板が前記一面を塞いだ状態のとき、前記前板に重なるよう配置された蓋前板とを備え；
前記副前板は、前記前板に重なって前記前板の内側に配置され；
前記容器本体は、前記開口された一面から引き出された前記ラップフィルムの先端部を前記前板から離間させるフラップを有し；
前記フラップは、前記底板の一辺に対向する側に先端を有し；
前記フラップは、前記第１の連接辺に連接し、前記フラップの前記第１の連接辺に沿った長さが、前記第１の連接辺から前記先端までの長さより長く形成され；
前記前板の前記フラップが切り起こされた一部分の底板の一辺に対向する側に、指をいれ、前記引き出されたラップフィルムを摘み、さらに引き出すことのできる大きさの刳貫部が形成された；
ラップフィルム収納容器。
【請求項２】
前記フラップは、基部と、前記基部の前記底板の一辺に対向する側に形成された第１の凸部とを有する；
請求項１に記載のラップフィルム収納容器。
【請求項３】
前記刳貫部が２ヶ所生成され、前記２ヶ所の刳貫部が第１の凸部を挟むように前記第１の凸部の両側に形成された；
請求項２に記載のラップフィルム収納容器。
【請求項４】
前記フラップは、前記基部の前記底板の一辺に対向する側に形成された、前記第１の凸部を挟む第２の凸部および第３の凸部を有し；
前記前板には、前記第１の凸部と前記第２の凸部の間に前記２ヶ所の刳貫部のうちの一方の第１の刳貫部が形成され、第１の凸部と前記第３の凸部の間に前記２ヶ所の刳貫部のうちの他方の第２の刳貫部が形成された；
請求項３に記載のラップフィルム収納容器。
【請求項５】
前記フラップは、前記フラップ上の前記引き出されたラップフィルムに接する方の面に、前記引き出されたラップフィルムを保持するフィルム保持部を有する；
請求項１乃至請求項４のいずれか１項に記載のラップフィルム収納容器。
【請求項６】
前記蓋板が前記一面を塞いだ状態のとき前記蓋前板の前記フィルム保持部に重なる部分に、前記前板の側に隆起するエンボス加工部を備える；
請求項５に記載のラップフィルム収納容器。
【請求項７】
前記フラップの前記副前板側の表面上に、あるいは前記副前板の前記フラップに対向する側の表面上であって、前記フラップに対向する位置に隆起部が形成された；
請求項１乃至請求項６のいずれか１項に記載のラップフィルム収納容器。
【請求項８】
請求項１乃至請求項７のいずれか１項に記載のラップフィルム収納容器と；
前記ラップフィルムが円筒状に巻かれた前記ラップ巻回体とを備える；
ラップフィルム供給具。
【発明の詳細な説明】
【技術分野】
【０００１】
本発明は、ラップフィルムが円筒状に巻かれたラップ巻回体を収納するラップフィルム収納容器に関し、特に、ラップフィルム収納容器からラップフィルムをスムーズに摘み出すことのできるラップフィルム収納容器に関する。
【背景技術】
【０００２】
図１０に示すように、従来のラップフィルム供給具１０１は、ラップ巻回体１０２（以下、適宜、巻回体１０２）と、巻回体１０２を収納するラップフィルム収納容器１０３（以下、適宜、収納容器１０３）とを含んで構成される（例えば、特許文献１参照）。巻回体１０２は、食品包装用等に使用されるラップフィルム１１２（以下、適宜、フィルム１１２）を円筒状の巻芯１１０に巻きつけて巻回体１０２としたものである。巻回体１０２は、略直方体形状である紙製の収納容器１０３の中に収納される。【０００３】
収納容器１０３は、一面全体に渡って開口している一面１３０を、図中、上部に有する容器本体１１５と、容器本体１１５の開口している一面１３０を覆って蓋をするように形成され、一端が容器本体１１５に回動可能に連接された蓋板１２２とを含んで構成されている。【０００４】
容器本体１１５は、底板１０４と、前板１０５と、後板１０６と、側面板１７１、１７２と、前板１０５に重ねて配置された副前板とを有する。収納容器１０３は、蓋板１２２に立設された蓋前板１２３であって、蓋板１２２が開口している一面１３０を塞いだときに、前板１０５に重なる蓋前板１２３を備える。蓋前板１２３の一端１４０であって蓋板１２２に連接された一端１４０に対向する他端には、カッター１２４が形成されている。前板１０５の、図中、上部の長手方向中央部には切り込みが入れられ、切り込みを境にしてフラップ１２０が分離して起こされ、前板１０５に対して角度をなして配置されている。起こされたフラップ１２０によって、フラップ１２０にもたれかかるフィルム１１２の先端部１３６が前板１０５から離間している。【０００５】
フィルム１１２を使用するときは、収納容器１０３を手に持ち、蓋板１２２を開け、フィルム１１２を摘んで引き出すと、巻回体１０２は収納容器１０３内で回転し、フィルム１１２を巻回体１０２から剥離させ、収納容器１０３の外部に引き出すことができる。必要な長さのフィルム１１２を引き出した後に、蓋板１２２を閉め、蓋前板１２３の長手方向中央を、フィルム１１２を引き出した手と反対の手の親指で押さえ、カッター１２４を使用してフィルム１１２を切断し、切り離したフィルム１１２を使用する。
【先行技術文献】
【特許文献】
【０００６】
【特許文献１】実用新案登録第３０８８０７８号公報（図１等）
【発明の概要】
【発明が解決しようとする課題】
【０００７】
しかし、フィルム１１２を引き出すためにフラップ１２０を起こしてフィルム１１２を摘もうとする際に、フラップ１２０の起き上がりが悪い時などは、フラップ１２０を起こしにくく、またフィルム１１２が摘みにくく、フィルム１１２を収納容器１０３からうまく引き出せない場合があった。【０００８】
そこで、本発明は、ラップフィルムをラップフィルム収納容器から引き出す際に、フラップの起き上がりが良く、また、フラップを起こしやすく、かつラップフィルムが摘みやすく、ラップフィルムをラップフィルム収納容器からスムーズに引き出すことのできるラップフィルム収納容器を提供することを目的とする。
【課題を解決するための手段】
【０００９】
上記目的を達成するために、本発明の第１の態様に係るラップフィルム収納容器３は、例えば図１（Ａ）、（Ｂ）に示すように、ラップフィルム１２が円筒状に巻かれたラップ巻回体２を収納する、一面３０が開口された容器本体１５であって、底板４と、底板４の一辺３１に立設された前板５と、一辺３１に対向する底板４の他の一辺３２に立設された後板６と、底板４の一辺３１に対向する第１の連接辺３８を有する副前板７であって、第１の連接辺３８において前板５に連接される副前板７とを有する容器本体１５と；底板４の他の一辺３２に対向する第２の連接辺３９を有し、第２の連接辺３９において後板６に回動可能に連接され、開口された一面３０を塞ぐよう構成された蓋板２２と；第２の連接辺３９に対向する蓋板２２の一辺４０に立設され、蓋板２２が一面３０を塞いだ状態のとき、前板５に重なるよう配置された蓋前板２３とを備え；副前板７は、前板５に重なって前板５の内側に配置され；容器本体１５は、開口された一面３０から引き出されたラップフィルム１２の先端部３６を前板５から離間させるフラップ２０Ａを有し；フラップ２０Ａは、底板４の一辺３１に対向する側に先端３７を有し；フラップ２０Ａは、第１の連接辺３８に連接し、フラップ２０Ａの第１の連接辺３８に沿った長さＷが、第１の連接辺３８から先端３７までの長さＨより長く形成され；前板５のフラップ２０Ａが切り起こされた一部分の底板４の一辺３１に対向する側に、指をいれ、前記引き出されたラップフィルム１２を摘み、さらに引き出すことのできる大きさの刳貫部２９Ａが形成されている。【００１０】
このよう構成にすると、ラップフィルム収納容器の容器本体は、フラップを有し、刳貫部が形成されたものとなる。よって、開口された一面から引き出されたラップフィルムの先端部をフラップによって前板から離間させることができるので、ラップフィルムの使用者は、刳貫部に指を入れ、前板から離間されたラップフィルムを容易に摘み、さらにラップフィルムをスムーズに引き出すことができる。フラップは、フラップの第１の連接辺に沿った長さが、第１の連接辺から先端までの長さより長く形成されているので、フラップの起き上がろうとする復元力がフラップの重量に比して十分に働き、それによりフラップが前板から十分な角度で起き上がるので、ラップフィルムを前板から確実に離間させることができる。【００１１】
本発明の第２の態様に係るラップフィルム収納容器３は、例えば図１（Ａ）に示すように、第１の態様のラップフィルム収納容器において、フラップ２０Ａは、基部２１Ａと、基部２１Ａの底板４の一辺３１に対向する側に形成された第１の凸部２５Ａとを有する。【００１２】
このように構成すると、フラップは、基部と、基部の底板の一辺に対向する側に形成された第１の凸部とを有するので、開口された一面から引き出されたラップフィルムの先端部をフラップによって前板から確実に離間させることができる。【００１３】
本発明の第３の態様に係るラップフィルム収納容器３は、例えば図１（Ａ）に示すように、第２の態様のラップフィルム収納容器において、刳貫部２９Ａが２ヶ所生成され、２ヶ所の刳貫部２９Ａが第１の凸部２５Ａを挟むように第１の凸部２５Ａの両側に形成されている。【００１４】
このように構成すると、刳貫部が２ヶ所に形成され、２ヶ所に形成された刳貫部が第１の凸部を挟むように第１の凸部の両側に形成されているので、ラップフィルム収納容器の使用者が、右利きであっても、あるいは左利きであっても、刳貫部の一方に、指を入れてフラップを起こし、ラップフィルムを前板から離間させることができ、またラップフィルムを容易に摘み、ラップフィルムを収納容器から引き出すことができる。【００１５】
本発明の第４の態様に係るラップフィルム収納容器３は、例えば図５（Ａ）に示すように、第３の態様のラップフィルム収納容器において、フラップ２０Ｂは、基部２１Ｂの底板４の一辺３１に対向する側に形成された、第１の凸部２５Ｂを挟む第２の凸部２６Ｂおよび第３の凸部２７Ｂを有し；前板５には、第１の凸部２５Ｂと第２の凸部２６Ｂの間に２ヶ所の刳貫部のうちの一方の第１の刳貫部３４Ｂが形成され、第１の凸部２５Ｂと第３の凸部２７Ｂの間に２ヶ所の刳貫部のうちの他方の第２の刳貫部３５Ｂが形成されている。【００１６】
このように構成すると、前板には、第１の凸部と第２の凸部の間に第１の刳貫部が形成され、第１の凸部と第３の凸部の間に第２の刳貫部が形成されているので、右利きの人であっても、左利きの人であっても、刳貫部に指を入れてフラップを起こし、ラップフィルムを前板から離間させることができ、またラップフィルムを容易に摘み、ラップフィルムを収納容器から引き出すことができる。【００１７】
本発明の第５の態様に係るラップフィルム収納容器３は、例えば図１（Ａ）に示すように、第１の態様乃至第４の態様のいずれか１の態様のラップフィルム収納容器において、フラップ２０Ａは、フラップ２０Ａ上の前記引き出されたラップフィルム１２に接する方の面に、前記引き出されたラップフィルム１２を保持するフィルム保持部３３を有する。【００１８】
このように構成すると、フラップは、フラップ上の引き出されたラップフィルムに接する方の面に、引き出されたラップフィルムを保持するフィルム保持部を有するので、ラップフィルムの使用者は、刳貫部に指を入れ、引き出されたラップフィルムであってフィルム保持部に保持されているラップフィルムを確実に摘み、ラップフィルムをラップフィルム収納容器から引き出すことができる。【００１９】
本発明の第６の態様に係るラップフィルム収納容器３は、例えば図１（Ａ）、（Ｂ）に示すように、第５の態様のラップフィルム収納容器において、蓋板２２が一面３０を塞いだ状態のとき蓋前板２３のフィルム保持部３３に重なる部分に、前板５の側に隆起するエンボス加工部２８を備える。【００２０】
このように構成すると、蓋板が一面を塞いだ状態のとき蓋前板のフィルム保持部に重なる部分に、前板の側に隆起するエンボス加工部を備えるので、ラップフィルム収納容器を片手で持ったときに、ラップフィルムを持った手の親指で蓋前板のエンボス加工部を押さえることができるので、ラップフィルムをフィルム保持部により確実に保持することができる。【００２１】
本発明の第７の態様に係るラップフィルム収納容器３は、例えば図３、図４に示すように、第１の態様乃至第６の態様のいずれか１の態様のラップフィルム収納容器において、フラップ２０Ａの副前板７側の表面上に、あるいは副前板７のフラップ２０Ａに対向する側の表面上であって、フラップ２０Ａに対向する位置に隆起部５１Ａ、５１Ｂが形成される。【００２２】
このように構成すると、フラップの副前板側の表面上に形成された隆起部が副前板に当たり、フラップを起こすことができる。あるいは副前板のフラップに対向する側の表面上であって、フラップに対向する位置に形成された隆起部が当該フラップに当たり、当該フラップを起こすことができる。起こされたフラップは、手でさらに起こすことができ、当該フラップによって、ラップフィルムを前板から確実に離間させることができる。【００２３】
上記目的を達成するために、本発明の第８の態様に係るラップフィルム供給具１は、例えば図１（Ａ）に示すように、第１の態様乃至第７の態様のいずれか１の態様のラップフィルム収納容器３と；ラップフィルム１２が円筒状に巻かれたラップ巻回体２とを備える。
【発明の効果】
【００２４】
本発明のラップフィルム収納容器によれば、ラップフィルム収納容器の容器本体は、フラップを有し、刳貫部が形成されたものとなり、よって、開口された一面から引き出されたラップフィルムの先端部をフラップによって前板から離間させることができるので、ラップフィルムの使用者は、刳貫部に指を入れ、前板から離間されたラップフィルムを容易に摘み、さらにラップフィルムをスムーズに引き出すことができる。フラップは、フラップの第１の連接辺に沿った長さが、第１の連接辺から先端までの長さより長く形成されているので、ラップフィルムを前板から確実に離間させることができる。【００２５】
この出願は、日本国で２０１０年１１月９日に出願された特願２０１０−２５０５３１号に基づいており、その内容は本出願の内容として、その一部を形成する。
また、本発明は以下の詳細な説明によりさらに完全に理解できるであろう。本発明のさらなる応用範囲は、以下の詳細な説明により明らかとなろう。しかしながら、詳細な説明および特定の実例は、本発明の望ましい実施の形態であり、説明の目的のためにのみ記載されているものである。この詳細な説明から、種々の変更、改変が、本発明の精神と範囲内で、当業者にとって明らかであるからである。
出願人は、記載された実施の形態のいずれをも公衆に献上する意図はなく、開示された改変、代替案のうち、特許請求の範囲内に文言上含まれないかもしれないものも、均等論下での発明の一部とする。
【図面の簡単な説明】
【００２６】
【図１】（Ａ）は、本発明の第１の実施の形態に係る、ラップフィルム収納容器を備えるラップフィルム供給具の斜視図である。（Ｂ）は、（Ａ）に示すラップフィルム収納容器の長手方向に直角な方向のラップフィルム供給具の断面図である。（Ｃ）は、蓋前板の変形例を示す部分正面図である。（Ｄ）は、（Ｃ）におけるＤ−Ｄ線で切断した部分断面図である。
【図２】図１（Ａ）に示す立体状のラップフィルム収納容器とする前の、平面状の前板の部分を示す図である。
【図３】図１（Ａ）のラップフィルム収納容器のフラップを裏から見た図である。
【図４】図１（Ａ）のラップフィルム収納容器の副前板の正面図である。
【図５】（Ａ）は、本発明の第２の実施の形態に係る、ラップフィルム収納容器を備えるラップフィルム供給具の斜視図である。（Ｂ）は、（Ａ）のフラップ部分の拡大斜視図である。
【図６】図５（Ａ）に示す立体状のラップフィルム収納容器とする前の、平面状の前板の部分を示す図である。
【図７】図５（Ａ）のラップフィルム収納容器の切断されたラップフィルムとともに描いた前板およびフラップの正面図である。
【図８】図５（Ａ）のラップフィルム収納容器のフラップを裏から見た図である。
【図９】図５（Ａ）のラップフィルム収納容器の副前板の正面図である。
【図１０】従来のラップフィルム供給具の斜視図である。
【発明を実施するための形態】
【００２７】
以下、本発明の実施の形態について、図面を参照して説明する。なお、各図において互いに同一あるいは相当する部材には同一の符号を付し、重複した説明は省略する。
【００２８】
図１（Ａ）、（Ｂ）を参照して、第１の実施の形態の、ラップフィルム収納容器３を備えるラップフィルム供給具１の構成を説明する。図１（Ａ）は、水平に配置された状態のラップフィルム供給具１の斜視図であり、図１（Ｂ）は、図１（Ａ）のラップフィルム収納容器の長手方向中央部における長手方向に直角な方向の断面図である。図１（Ａ）では、後述の蓋板２２は、開いた状態であり、図１（Ｂ）では、蓋板２２は、部分的に閉まっている状態であり（すなわち、蓋板２２が底板４に平行になっていない）、また後述のラップフィルム１２をラップフィルム収納容器３から引き出した状態が示されている。
【００２９】
ラップフィルム供給具１は、ラップ巻回体２（以下、適宜、巻回体２）と、巻回体２を収納するラップフィルム収納容器３（以下、適宜、収納容器３）とを含んで構成される。巻回体２は、食品包装用等に使用されるラップフィルム１２（以下、適宜、フィルム１２）を円筒状の巻芯１０に巻きつけて巻回体２としたものである。巻回体２は、収納容器３の中に収納される。収納容器３は、例えば、厚紙またはボール紙などの紙素材により形成される。収納容器３は、複数枚、または、１枚の紙素材から形成することが可能である。
【００３０】
収納容器３は、容器本体１５を備える。容器本体１５は略直方体形状をなす。容器本体１５は、紙素材を折り曲げて形成され、当該紙素材は一度折り曲げても元に戻ろうとする曲げに対する弾力性（復元性）を有している。容器本体１５は、フィルム１２が円筒状に巻かれた巻回体２を収容し、一面３０が開口され、当該開口された一面３０から巻回体２を出し入れすることができる。巻芯１０に巻かれたラップフィルム１２は、ポリ塩化ビニリデンを原材料とする透明フィルムであるが、ポリ塩化ビニル、ポリエチレン、ポリメチルペンテン、もしくはこれらを組み合わせた多層ラップフィルムであってもよい。容器本体１５は、図１（Ａ）中、底板４と、底板４の一辺３１（長辺）に底板４に対し直角に立設された前板５と、一辺３１に対向する底板４の他の一辺３２（長辺）に底板４に対し直角に立設された後板６と、底板４の一辺３１に対向する第１の連接辺３８を有する副前板７を有する。底板４は、一面３０に対向するよう配置されている。副前板７は、第１の連接辺３８において前板５に連接される。副前板７は、略直方体形状の容器本体１５の形成に際し、第１の連接辺３８に沿って、収納容器３の内側（巻回体２を収納している側）に１８０°折り込まれ、前板５に重ねられる。折り込まれた副前板７は、前板５の側の表面に接着剤がライン状に塗布され、前板５と接着され、固定される。底板４、フラップ２０Ａが分離される前のフラップ２０Ａを含む前板５、後板６、副前板７は、略長方形である。
【００３１】
底板４は長辺である一辺３１および他の一辺３２に加えて、短辺６１、６２を有する。容器本体１５は、側面板７１、７２を有する。側面板７１、７２は、それぞれ短辺６１、６２に立設されている。側面板７１、７２は略正方形である。
【００３２】
収納容器３は、さらに、蓋板２２と、蓋前板２３とを備える。蓋板２２は、略長方形である。蓋板２２は、底板４の他の一辺３２に対向する第２の連接辺３９を有し、第２の連接辺３９において後板６に回動可能に連接され、開口された一面３０を塞ぐよう構成される。蓋前板２３は、第２の連接辺３９に対向する蓋板２２の一辺４０に蓋板２２に対して直角に立設され、蓋板２２が一面３０を塞いだ状態のとき、前板５に沿って前板５の外側（副前板７側とは反対側）に重なるよう配置される。蓋板２２は長辺である第２の連接辺３９と一辺４０に加えて、短辺６３、６４を有する。容器本体１５は、蓋側面板７３、７４を有する。蓋側面板７３、７４は、それぞれ短辺６３、６４に立設されている。蓋側面板７３、７４は略長方形である。
【００３３】
容器本体１５は、開口された一面３０から引き出されたラップフィルム１２の先端部３６を前板５から離間させる一つのフラップ２０Ａを有する。フラップ２０Ａは、一つの基部２１Ａと、一つの第１の凸部２５Ａとを有する。フラップ２０Ａは、基部２１Ａにおいて第１の連接辺３８に連接する。前板５には、フラップ２０Ａが第１の連接辺３８にて副前板７に連接する部分を除いた周囲を取り囲むように切り込み４７（図２）が入れられている。第１の凸部２５Ａは、基部２１Ａの第１の連接辺３８に対向する側（第１の連接辺３８とは反対側）で、基部２１Ａと繋がっている。フラップ２０Ａは、底板４の一辺３１に対向する側（第１の凸部２５Ａ側）に先端３７を有する。すなわち、先端３７は第１の凸部２５Ａにある。
【００３４】
副前板７と前板５とは、第１の連接辺３８に沿って折り曲げて重なるよう形成されている。フラップ２０Ａは、切り込み４７によって前板５と分離され、さらに第１の連接辺３８に沿って折り曲げて形成されているため、副前板７と同一平面になろうとする復元力を有し、この復元力に基づく第１の連接辺３８周りの曲げモーメントが、フラップ２０Ａに働く。この原理により、フラップ２０Ａは、前板５から起き上がった状態となる。
【００３５】
フラップ２０Ａは、フラップ２０Ａの第１の連接辺３８に沿った長さＷが、第１の連接辺３８から先端３７までの長さＨより長く形成されている。長さＷの長さＨに対する比（Ｗ／Ｈ）は、２以上とすることが望ましい。比（Ｗ／Ｈ）を２以上とすることで、第１の連接辺３８でフラップ２０Ａを折り曲げたことによるフラップ２０Ａの復元力がフラップ２０Ａの重量に比して十分に働き、それによりフラップ２０Ａが前板５から適切な角度で起き上がるようにすることができるので、ラップフィルム１２を前板５から確実に離間させることができる。なお、基部２１Ａとは、フラップ２０Ａの第１の連接辺３８に連接する側の部分をいう。基部２１Ａは、図１（Ａ）に示すように、典型的には収納容器３の長手方向に長い長方形であり、長辺の長さがＷに等しい。基部２１Ａには、前述のように第１の凸部２５Ａが繋がっており、第１の凸部２５Ａの収納容器３の長手方向の長さに、さらに二つの刳貫部２９Ａ（図２）を加えた当該長手方向の長さを加えた長さは、Ｗより短く形成されている。
【００３６】
フラップ２０Ａは、前板５から切り込み４７によって分離されており、前板５からフラップ２０Ａが切り起こされている。すなわち、フラップ２０Ａは前板５に対し角度θをなすように第１の連接辺３８で連接されている。前板５には刳貫部２９Ａが二つ形成されており、刳貫部２９Ａは、フラップ２０Ａが切り起こされた部分の底板４の一辺３１に対向する側に、形成されている。刳貫部２９Ａは、指をいれ、引き出されたフィルム１２を摘まみ、さらに引き出すことのできる大きさである。副前板７は刳貫部２９Ａが設けられた前板５の対応する部分を遮蔽し、外部からチリ等の異物が入ることを防ぐ。
【００３７】
二つの刳貫部２９Ａは、第１の凸部２５Ａを挟むように第１の凸部２５Ａの両側であって、基部２１Ａの図１（Ａ）中、直下側に形成されている。刳貫部２９Ａの中心線Ｌ１（図２に一点鎖線で表示）（当該中心線Ｌ１は長手方向に直角）は、前板５の長手方向に直角な方向の中心線Ｌ０（図２に一点鎖線で表示）から、第１の凸部２５Ａの長手方向の長さの半分に刳貫部２９Ａの長手方向の長さの半分を加えた長さＷ１（図２）だけずれているが、どちらか一方の刳貫部２９Ａに指を入れ、フィルム１２をさらに引き出したときに、フィルム１２をスムーズに引き出せる位置に形成されている。すなわち、刳貫部２９Ａは当該中心線から長手方向にあまりずれていない位置に形成されている。また、刳貫部２９Ａに指をいれた場合、当該指が基部２１Ａの図１（Ａ）中、下部及び第１の凸部２５Ａの側部に接触する構造になっている。
【００３８】
フラップ２０Ａの中央部分には、フィルム保持部３３が形成されている。フィルム保持部３３の形成方法としては、フィルム１２に対して粘着性を有する粘着剤を塗布し粘着剤層を設ける方法や、フィルム１２に対して密着性を有し、平滑性のあるニスを塗布し平滑層を設ける方法、さらにはフィルム１２自体の自己密着性を利用し、フィルム１２と実質的に同一材料からなる自己密着性フィルム層を設ける方法等がある。フィルム保持部３３はフラップ２０Ａのフィルム１２に接する方の面に形成されている。
【００３９】
蓋前板２３の、底板４の一辺３１に対向する側（蓋板２２が閉じた状態で対向）には、フィルム１２を切断するためのカッター２４が一辺５４に沿って設けられている。カッター２４の先端には複数の鋸刃８０が形成されている。カッター２４の一部は、蓋板２２を完全に閉じて（すなわち、蓋板２２が底板４（図１（Ａ））に平行になって）、開口している一面３０（図１（Ａ））を塞いだ場合、底板４方向に突出するように構成されているが、これには限定されず、例えば底板４の一辺３１と平行な、長手方向に対して直線のカッター（不図示）を設けてもよい。
【００４０】
図２に、蓋板２２（図１（Ａ））を完全に閉じて（すなわち、蓋板２２が底板４（図１（Ａ））に平行になって）、開口している一面３０（図１（Ａ））を塞いだ場合のフラップ２０Ａとカッター２４との位置関係を示す。蓋板２２が完全に閉じた場合の蓋前板２３（図１（Ａ））の一辺５４（図１（Ａ））およびカッター２４の前板５上における位置を破線にて示す。起伏形状を有するフラップ２０Ａは、蓋前板２３に設けられたカッター２４の複数の鋸刃８０と重ならない位置に形成され、かつ、カッター２４の複数の鋸刃８０は、フラップ２０Ａの先端３７から離れて先端３７に沿うように形成される。よって、フラップ２０Ａの先端３７付近であって先端３７から離れた位置に、フィルム１２（図１（Ａ））の先端部３６（図１（Ｂ））を形成することが可能となる。これにより、切断時に複数の鋸刃８０によりこすれ磨耗し脆弱化したフィルム１２が、切断時にフラップ２０Ａの起伏形状の影響を受けないようにすることができ、フィルム１２が不規則な切断となることを防止することが可能となる。
【００４１】
図１（Ａ）に示すように、蓋前板２３の外側の長手方向の中央には、エンボスが加工されたエンボス加工部２８が、蓋板２２が開口した一面３０を塞いだ状態のとき、フィルム保持部３３に重なるよう形成されている。エンボス加工部２８は、この状態で、前板５の側に隆起し、蓋前板２３の表面に凹部を形成するよう構成されている。フィルム１２を収納容器３から引き出した後、蓋板２２を完全に閉じた状態で、エンボス加工部２８を親指でフラップ２０Ａに向けて押した場合、フィルム１２がフィルム保持部３３に押し付けられ、フィルム保持部３３に確実に保持される。したがって、フィルム１２が収納容器３に対して確実に固定され、フィルム１２をカッター２４でスムーズに切断することができる。エンボス加工部２８は、前板５の側に隆起し、蓋前板２３の外側の表面に凹部を形成するよう構成されているので、エンボス加工部２８に蓋前板２３の側から指で触れた場合、目視しなくとも、エンボス加工部２８に指で触れたことを触感にて確認することができる。なお、蓋前板２３に形成されたエンボス加工部２８に代えて、図１（Ｃ）、（Ｄ）に示すような、外側に凸になるように（蓋前板２３の表面に凸部を形成するように）複数の点状のエンボスを加工して形成された滑り止め部１２８を設けてもよい。滑り止め部１２８が設けられていると、蓋前板２３を前板５側に押したときにフィルム１２を押さえやすく、また、蓋前板２３の長手方向中央部の位置を指先で探しやすくなる。滑り止め部１２８は、前板５側に隆起したエンボス加工部２８（図１（Ａ）、（Ｂ）参照）に重畳して設けてもよい。滑り止め部１２８は、後述する第２の実施の形態にも適用することができる。
【００４２】
図３に示すように、容器本体１５（図１（Ａ））のフラップ２０Ａは、フラップ２０Ａの裏側（副前板７側）の表面上に隆起部としての凸エンボス５１Ａを有する。凸エンボス５１Ａは、フラップ２０Ａの凸部２５Ａに形成されている。凸エンボス５１Ａは、フラップ２０Ａの先端３７になるべく近く（例えば、先端３７から１ｍｍ離して）形成するとよい。凸エンボス５１Ａは、円の一部であり、収納容器３（図１（Ａ））の長手方向に長い形状である。凸エンボス５１Ａは、副前板７に向かって隆起し、エンボス加工にて形成される。フラップ２０Ａの凸エンボス５１Ａは、副前板７の後述の凸エンボス５１Ｂ（副前板７に後述の凸エンボス５１Ｂが形成されていないときはときは、副前板７）に当たり、切り込み４７によって前板５から分離されたフラップ２０Ａが再び前板５に嵌まり込む現象を防ぎ、前板５（図１（Ａ））から確実に起き上がらせることを可能とするので、フィルム１２（図１（Ａ））を前板５から確実に離間させることができる。
【００４３】
図４に前板５（図１（Ａ））を省略した場合の副前板７を示す。副前板７は第１の連接辺３８（図４に二点鎖線にて表示）にて前板５に連接されている。図に示すように、副前板７は、副前板７のフラップ２０Ａに対向する側の表面上であって、フラップ２０Ａに対向する位置に隆起部としての凸エンボス５１Ｂを有する。図中、フラップ２０Ａと刳貫部２９Ａを破線で描き、前板５と副前板７が重なった場合の、フラップ２０Ａと刳貫部２９Ａの副前板７上の対応位置を示す。凸エンボス５１Ｂは、中心を第１の連接辺３８上に有する円の一部である円弧形状である（円弧の中心部における半径は第１の連接辺３８に直角）。凸エンボス５１Ｂは、フラップ２０Ａに向かって隆起し、エンボス加工にて形成される。副前板７の凸エンボス５１Ｂは、フラップ２０Ａの凸エンボス５１Ａに当たるように形成されているので、切り込み４７によって前板５から分離されたフラップ２０Ａが再び前板５に嵌まり込む現象を防ぎ、前板５（図１（Ａ））から確実に起き上がらせることを可能とするので、フィルム１２（図１（Ａ））を前板５から確実に離間させることができる。
【００４４】
図３および図４において、凸エンボス５１Ｂは、副前板７と前板５が重なって配置された状態のとき、すなわち容器本体１５が組み立てられたとき、凸エンボス５１Ｂの全体が凸エンボス５１Ａに当たるように形成される。すなわち、凸エンボス５１Ｂの全体が、凸エンボス５１Ａの領域内に入るよう形成される。
【００４５】
本実施の形態では、凸エンボス５１Ａと凸エンボス５１Ｂを両方形成しているが、凸エンボス５１Ａと凸エンボス５１Ｂとのどちらか一方を形成するようにしてもよい。このようにすると簡易な構成で、フラップ２０Ａが前板５（図１（Ａ））から起き上がるようにし、フィルム１２（図１（Ａ））を前板５から確実に離間させることができる。
【００４６】
図１（Ａ）、図１（Ｂ）、図２を参照して、第１の実施の形態の作用について説明する。
収納容器３は、巻回体２を収納し、蓋板２２は完全に閉じた状態で保管される。フィルム１２を収納容器３から引き出した後には、蓋板２２を完全に閉じた状態にし、フィルム１２をカッター２４により切断した後に、通常は底板４を下にして収納容器３を例えば台所の棚（不図示）に置いて保管する。
【００４７】
この状態で、フィルム１２は、蓋前板２３の内側（蓋板２２が完全に閉じた場合の、前板５側）と、フラップ２０Ａの外側（副前板７側とは反対の側）および前板５の外側との間に挟まれている。フィルム１２は、フラップ２０Ａの外側（フラップ２０Ａの引き出されたフィルム１２側）に設けたフィルム保持部３３に保持されている。フラップ２０Ａは、前板５と切り込み４７によって分離され、前板５から切り起こされているので、フィルム保持部３３を有するフラップ２０Ａがフィルム１２を蓋前板２３の内側に押し付け、このためフィルム保持部３３がフィルム１２を保持するのが促進される。
【００４８】
フィルム１２を使用するため、収納容器３を例えば台所の棚（不図示）から手に取り、蓋板２２を開ける。このとき、フィルム１２はフラップ２０Ａに覆い被さり、フラップ２０Ａのフィルム保持部３３に保持されているため、フラップ２０Ａに対して位置が安定している。
【００４９】
フラップ２０Ａは、前板５から切り起こされている構造であり、長手方向に長い構造であるので、すなわち、フラップ２０Ａの第１の連接辺３８に沿った長さＷが、第１の連接辺３８から先端３７まで長さＨより長い構造なので、フラップ２０Ａはフィルム１２を起こす十分な力を有し、フィルム１２のフラップ２０Ａに接触している部分は、フラップ２０Ａによって蓋前板２３の内側の方向に押され、前板５から離間している。特にフィルム１２のフラップ２０Ａに接触している部分の先端部３６は、確実に前板５から離間している。したがって、フィルム１２が摘みやすく、フィルム１２を収納容器３からスムーズに引き出すことができる。
【００５０】
蓋板２２が完全に閉じた状態のとき、蓋前板２３に取り付けられたカッター２４の先端は、フラップ２０Ａの先端３７を超えて配置され、フラップ２０Ａは、蓋前板２３およびカッター２４により外部から見えない構造になっている。カッター２４により前回使用されたフィルム１２の部分が切断されており、残った方のフィルム１２の先端部３６は、フラップ２０Ａの先端３７より図１（Ａ）中、下側（底板４側）にある。
【００５１】
この状態で、今回フィルム１２を使用する場合は、蓋板２２を開き、刳貫部２９Ａに指を入れ、切断されたフィルム１２の先端部を摘み、フィルム１２をさらに必要な長さだけ引き出す。フィルム１２を引きだしている間、巻回体２は収納容器３内で回転する。その後、蓋板２２を閉め、蓋前板２３のエンボス加工部２８を親指で押さえると、フィルム保持部３３にフィルム１２が確実に保持され、フィルム１２の収納容器３に対する位置が安定するのでフィルム１２をカッター２４によってスムーズに切断することができる。
【００５２】
第１の実施の形態のラップフィルム収納容器３によれば、容器本体１５がフラップ２０Ａを有するので、開口された一面３０から引き出されたラップフィルム１２の先端部３６をフラップ２０Ａによって前板５から確実に離間させることができる。ラップフィルム１２の先端部３６を前板５から確実に離間させることができるので、ラップフィルム１２の使用者は、刳貫部２９Ａに指を入れ、前板５から離間されたラップフィルム１２を容易に摘み、収納容器３からさらにラップフィルム１２をスムーズに引き出すことができる。
【００５３】
図５（Ａ）、（Ｂ）を参照して、第２の実施の形態の、ラップフィルム収納容器３を備えるラップフィルム供給具１の構成を説明する。ラップフィルム収納容器３は、容器本体１５を有し、容器本体１５は、開口された一面３０から引き出されたラップフィルム１２の先端部３６（図１（Ｂ）参照）を前板５から離間させるフラップ２０Ｂを有する。第２の実施の形態のラップフィルム供給具１は、第１の実施の形態のラップフィルム供給具１（図１（Ａ）、（Ｂ））とフラップ２０Ｂ、および刳貫部３４Ｂ、３５Ｂの形状が異なり、他の構成は同様であるので、以下、フラップ２０Ｂ、刳貫部３４Ｂ、３５Ｂに関連する事項についてのみ記載し、他の構成の記載は省略する。
【００５４】
フラップ２０Ｂは、基部２１Ｂと、第１の凸部２５Ｂと、第２の凸部２６Ｂと、第３の凸部２７Ｂとを有する。フラップ２０Ｂは、基部２１Ｂにおいて第１の連接辺３８に連接する。前板５には、フラップ２０Ｂが第１の連接辺３８にて副前板７に連接する部分を除いた周囲を取り囲むように切り込み４９が入れられている。
【００５５】
第２の凸部２６Ｂと、第３の凸部２７Ｂとは、第１の凸部２５Ｂを挟むように構成されている。各凸部２５Ｂ、２６Ｂ、２７Ｂは、基部２１Ｂの第１の連接辺３８に対向する側（第１の連接辺３８とは反対側）で、基部２１Ｂと繋がっている。フラップ２０Ｂの各凸部２５Ｂ、２６Ｂ、２７Ｂは、底板４の一辺３１に対向する側にそれぞれ先端４１、４２、４３を有する。図５（Ａ）に示すように、第１の連接辺３８から真ん中に位置する先端４１までの長さＨを、先端４２、４３までの長さより若干長くしているが、これには限定されず、例えば第１の連接辺３８から各先端４１、４２、４３までの長さを互いに等しく形成してもよい。フラップ２０Ｂは、フラップ２０Ｂの第１の連接辺３８に沿った長さＷが、第１の連接辺３８から各先端４１、４２、４３までの長さのうち最大の長さＨ（本実施の形態では、第１の連接辺３８から先端４１までの長さ、各長さが等しいときはその長さＨ）より長く形成されている。長さＷの長さＨに対する比（Ｗ／Ｈ）は、２以上とすることが望ましい。比（Ｗ／Ｈ）を２以上とすることで、第１の連接辺３８でフラップ２０Ｂを折り曲げたことによるフラップ２０Ｂの起き上がろうとする復元力がフラップ２０Ｂの重量に比して十分に働き、それによりフラップ２０Ｂが前板５から十分な角度で起き上がるので、フィルム１２を前板５から確実に離間させることができる。なお、基部２１Ｂとは、フラップ２０Ｂの第１の連接辺３８に連接する側の部分をいう。基部２１Ｂは、図５（Ｂ）に示すように、典型的には収納容器３の長手方向に長い略長方形であり、長辺の長さがＷに等しい。基部２１Ｂには、前述のように第１の凸部２５Ｂ、第２の凸部２６Ｂと、第３の凸部２７Ｂが当該長手方向に並んで繋がっており、第２の凸部２６Ｂの、図５（Ａ）中、左側の端部から、第３の凸部２７Ｂの右側の端部までの当該長手方向の長さは、ほぼＷに等しい。
【００５６】
フラップ２０Ｂは、前板５から切り込み４９によって分離されており、前板５からフラップ２０Ｂが切り起こされている。すなわち、フラップ２０Ｂは前板５に対し角度θ（図１（Ｂ）参照）をなすように第１の連接辺３８で連接されている。切り込み４９は、各凸部２５Ｂ、２６Ｂ、２７Ｂの部分と、基部２１Ｂの両方の端部４６Ｂに形成されている。第１の連接辺３８から、各凸部２５Ｂ、２６Ｂ、２７Ｂの第１の連接辺３８側に最も引っ込んだ点である底点４４Ｂ、４５Ｂ点までの長さＨｄは、等しく形成されている。
【００５７】
図５（Ｂ）に、底点４４Ｂ、４５Ｂを通る第１の連接辺３８に平行な一点鎖線が記載されているが、フラップ２０Ｂのこの一点鎖線より第１の連接辺３８側が基部２１Ｂであり、反対側（底板４の一辺３１に対向する側）が、各凸部２５Ｂ、２６Ｂ、２７Ｂである。
【００５８】
前板５には第１の刳貫部３４Ｂと第２の刳貫部３５Ｂが形成されており（図６）、第１の刳貫部３４Ｂは、第１の凸部２５Ｂと第２の凸部２６Ｂとの間に形成され、第２の刳貫部３５Ｂは、第１の凸部２５Ｂと第３の凸部２７Ｂとの間に形成されている。すなわち、第１の刳貫部３４Ｂと第２の刳貫部３５Ｂの間に第１の凸部２５Ｂが形成されている。
【００５９】
刳貫部３４Ｂ、３５Ｂは、前述のようにフラップ２０Ｂが切り起こされた部分の底板４の一辺３１に対向する側に、形成されている。刳貫部３４Ｂ、３５Ｂは、指をいれ、引き出されたフィルム１２を摘まみ、さらに引き出すことのできる大きさである。副前板７は刳貫部３４Ｂ、３５Ｂが設けられた前板５の対応する部分を遮蔽し、外部からチリ等の異物が入ることを防ぐ。
【００６０】
二つの刳貫部３４Ｂ、３５Ｂは、基部２１Ｂの、図６中、直下側に形成されている。刳貫部３４Ｂ、３５Ｂは前板５の中心線Ｌ０（図６に一点鎖線で表示）（当該中心線Ｌ０は長手方向に直角）から長手方向にずれて配置されている。このずれの値、すなわち前板５の当該中心線Ｌ０と刳貫部３４Ｂ、３５Ｂの中心線Ｌ２（図６に一点鎖線で表示）（当該中心線Ｌ２は長手方向に直角）との間の長手方向の距離は、第１の凸部２５Ｂの長手方向の長さの半分の長さＷ２（図６）に等しい。刳貫部３４Ｂ、３５Ｂは、どちらか一方の刳貫部３４Ｂ、３５Ｂに指を入れ、フィルム１２をさらに引き出したときに、フィルム１２をスムーズに引き出せる位置に形成されている。すなわち、刳貫部３４Ｂ、３５Ｂは前板５の中心線から長手方向にあまりずれていない位置に形成されている。また、刳貫部３４Ｂ、３５Ｂに指をいれた場合、当該指が各凸部２５Ｂ、２６Ｂ、２７Ｂの側部に接触する構造になっている。
【００６１】
フラップ２０Ｂの中央部分には、フィルム保持部３３が形成されている。フィルム保持部３３の形成方法としては、フィルム１２に対して粘着性を有する粘着剤を塗布し粘着剤層を設ける方法や、フィルム１２に対して密着性を有し、平滑性のあるニスを塗布し平滑層を設ける方法、さらには、フィルム１２自体の自己密着性を利用し、フィルム１２と実質的に同一材料からなる自己密着性フィルム層を設ける方法等がある。
【００６２】
図６に、蓋板２２（図５（Ａ））を完全に閉じて、開口している一面３０（図５（Ａ））を塞いだ場合のフラップ２０Ｂとカッター２４との位置関係を示す。蓋板２２が完全に閉じた場合の蓋前板２３（図５（Ａ））の一辺５４およびカッター２４の前板５上における位置を破線にて示す。起伏形状を有するフラップ２０Ｂは、蓋前板２３に設けられたカッター２４の複数の鋸刃８０と重ならない位置に形成され、かつ、カッター２４の複数の鋸刃８０は、フラップ２０Ｂの先端４１、４２、４３から離れて先端４１、４２、４３に沿うように形成される。よって、フラップ２０Ｂの先端４１、４２、４３付近であって先端４１、４２、４３から離れた位置に、フィルム１２（図１（Ａ））の先端部３６（図１（Ｂ））を形成することが可能となる。これにより、切断時に複数の鋸刃８０によりこすれて磨耗し脆弱化したフィルム１２が、切断時にフラップ２０Ｂの起伏形状の影響を受けないようにすることができ、フィルム１２が不規則な切断となることを防止することが可能となる。
【００６３】
第１の実施の形態と同様に、蓋前板２３の外側の長手方向の中央には、エンボスが加工されたエンボス加工部２８が、フィルム保持部３３に重なるよう形成されている。フィルム１２を収納容器３から引き出した後、蓋板２２を完全に閉じた状態で、エンボス加工部２８を親指でフラップ２０Ｂに向けて押した場合、フィルム１２がフィルム保持部３３に押し付けられ、フィルム保持部３３に確実に保持される。フィルム１２は、カッター２４により切断され、フィルム１２の先端部３６（図７）は、フラップ２０Ｂの先端４１、４２、４３に沿うように形成される。
【００６４】
図７に、切断されたフィルム１２とともに、前板５およびフラップ２０Ｂを示す。フィルム１２の切断により、第１の凸部２５Ｂと第２の凸部２６Ｂの間において、先端４１、４２、および底点４４Ｂ（図６）を基点とする空間（先端４１、４２,および底点４４Ｂの周辺の空間）付近に、フィルム１２の先端部３６が確実に形成されることで、フィルム１２を指で摘むことができるフィルムつまみ部９１Ｂがフィルム１２に形成される。フィルムつまみ部９１Ｂは、先端部３６と、フィルム１２をフラップ２０Ｂに重ねた場合に、フラップ２０Ｂの先端４１、４２、および底点４４Ｂを通る外縁部８１Ｂに重なる部分と、先端４１における法線４１Ｎおよび先端４２における法線４２Ｎに重なる部分とで囲まれた部分をいう。第１の凸部２５Ｂと第３の凸部２７Ｂの間においても同様にフィルムつまみ部９２Ｂが形成される。フィルムつまみ部９２Ｂは、先端部３６と、フィルム１２をフラップ２０Ｂに重ねた場合に、フラップ２０Ｂの先端４１、４３、および底点４５Ｂを通る外縁部８２Ｂに重なる部分と、先端４１における法線４１Ｎおよび先端４３における法線４３Ｎに重なる部分とで囲まれた部分をいう。
【００６５】
これによって、左手でフィルム１２を収納容器３から引き出す際は、一般的には、刳貫部３４Ｂに指を入れ、フィルムつまみ部９１Ｂにあるフィルム１２の先端部３６を直接つまむか、もしくは、第１の凸部２５Ｂの先端４１を左手の指の腹で軽く触れ、指の腹をすべらせるようにして、刳貫部３４Ｂに指を入れ、フィルムつまみ部９１Ｂにあるフィルム１２の先端部３６に移動させて、つまむことが可能となり、スムーズにフィルム１２を収納容器３から引き出すことが可能となる。右手の場合は、第１の凸部２５Ｂと第３の凸部２７Ｂの間（フィルムつまみ部９２Ｂ）において同様に操作を行う。
【００６６】
図８に示すように、容器本体１５（図５（Ａ））のフラップ２０Ｂは、フラップ２０Ｂの裏側（副前板７（図５（Ａ））側）の表面上に隆起部としての凸エンボス５１Ｂ１、５１Ｂ２、５１Ｂ３を有する。凸エンボス５１Ｂ１は、フラップ２０Ｂの第１の凸部２５Ｂに形成され、凸エンボス５１Ｂ２は、フラップ２０Ｂの第２の凸部２６Ｂに形成され、凸エンボス５１Ｂ３は、フラップ２０Ｂの第３の凸部２７Ｂに形成されている。凸エンボス５１Ｂ１、５１Ｂ２、５１Ｂ３は、フラップ２０Ｂの先端４１、４２、４３になるべく近く（例えば、それぞれ先端４１、４２、４３から１ｍｍ離して）形成するとよい。凸エンボス５１Ｂ１、５１Ｂ２、５１Ｂ３は、円の一部と弦で構成され、収納容器３（図５（Ａ））の長手方向に長い形状である。凸エンボス５１Ｂ１、５１Ｂ２、５１Ｂ３は、副前板７に向かって隆起し、エンボス加工にて形成される。フラップ２０Ｂの凸エンボス５１Ｂ１、５１Ｂ２、５１Ｂ３は、副前板７の後述の凸エンボス５２Ｂ１、５２Ｂ２、５２Ｂ３（副前板７に後述の凸エンボス５２Ｂ１、５２Ｂ２、５２Ｂ３が形成されていないときは、副前板７）に当たり、切り込み４９によって前板５から分離されたフラップ２０Ｂが再び前板５に嵌まり込む現象を防ぎ、前板５（図５（Ａ））から確実に起き上がらせることを可能とするので、フィルム１２（図５（Ａ））を前板５から確実に離間させることができる。
【００６７】
図９に前板５（図５（Ａ））を省略した場合の副前板７を示す。副前板７は第１の連接辺３８（図９に二点鎖線にて表示）にて前板５に連接されている。図に示すように、副前板７は、副前板７のフラップ２０Ｂに対向する側の表面上であって、フラップ２０Ｂに対向する位置に隆起部としての凸エンボス５２Ｂ１、５２Ｂ２、５２Ｂ３を有する。図中、フラップ２０Ｂと刳貫部３４Ｂ、３５Ｂを破線で描き、前板５と副前板７が重なった場合の、フラップ２０Ｂと刳貫部３４Ｂ、３５Ｂの副前板７上の対応位置を示す。凸エンボス５２Ｂ１、５２Ｂ２、５２Ｂ３は、中心を第１の連接辺３８上に有する円の一部である円弧形状である（円弧の中心部における半径は第１の連接辺３８に直角）。凸エンボス５２Ｂ１、５２Ｂ２、５２Ｂ３は、フラップ２０Ｂに向かって隆起し、エンボス加工にて形成される。副前板７の凸エンボス５２Ｂ１、５２Ｂ２、５２Ｂ３は、フラップ２０Ｂの凸エンボス５１Ｂ１、５１Ｂ２、５１Ｂ３にそれぞれ当たるように形成されているので、切り込み４９によって前板５から分離されたフラップ２０Ｂが再び前板５に嵌まり込む現象を防ぎ、前板５（図５（Ａ））から確実に起き上がらせることを可能とするので、フィルム１２（図５（Ａ））を前板５から確実に離間させることができる。
【００６８】
図８および図９において、凸エンボス５２Ｂ１、５２Ｂ２、５２Ｂ３は、副前板７と前板５が重なって配置された状態のとき、すなわち容器本体１５が組み立てられたとき、凸エンボス５２Ｂ１、５２Ｂ２、５２Ｂ３の全体が凸エンボス５１Ｂ１、５１Ｂ２、５１Ｂ３に当たるように形成される。すなわち、凸エンボス５２Ｂ１、５２Ｂ２、５２Ｂ３の全体が、凸エンボス５１Ｂ１、５１Ｂ２、５１Ｂ３の領域内にそれぞれ入るよう形成される。
【００６９】
本実施の形態では、凸エンボス５１Ｂ１、５１Ｂ２、５１Ｂ３と凸エンボス５２Ｂ１、５２Ｂ２、５２Ｂ３を両方形成しているが、凸エンボス５１Ｂ１、５１Ｂ２、５１Ｂ３と凸エンボス５２Ｂ１、５２Ｂ２、５２Ｂ３とのどちらか一方を形成するようにしてもよい。このようにすると簡易な構成で、フラップ２０Ｂが前板５（図５（Ａ））から起き上がるようにし、フィルム１２（図５（Ａ））を前板５から確実に離間させることができる。
【００７０】
本発明の説明に関連して（特に以下の請求項に関連して）用いられる名詞および同様な指示語の使用は、本明細書中で特に指摘したり、明らかに文脈と矛盾したりしない限り、単数および複数の両方に及ぶものと解釈される。語句「備える」、「有する」、「含む」および「包含する」は、特に断りのない限り、オープンエンドターム（すなわち「〜を含むが限らない」という意味）として解釈される。本明細書中の数値範囲の具陳は、本明細書中で特に指摘しない限り、単にその範囲内に該当する各値を個々に言及するための略記法としての役割を果たすことだけを意図しており、各値は、本明細書中で個々に列挙されたかのように、明細書に組み込まれる。本明細書中で説明されるすべての方法は、本明細書中で特に指摘したり、明らかに文脈と矛盾したりしない限り、あらゆる適切な順番で行うことができる。本明細書中で使用するあらゆる例または例示的な言い回し（例えば「など」）は、特に主張しない限り、単に本発明をよりよく説明することだけを意図し、本発明の範囲に対する制限を設けるものではない。明細書中のいかなる言い回しも、請求項に記載されていない要素を、本発明の実施に不可欠であるものとして示すものとは解釈されないものとする。
【００７１】
本明細書中では、本発明を実施するため本発明者が知っている最良の形態を含め、本発明の好ましい実施の形態について説明している。当業者にとっては、上記説明を読めば、これらの好ましい実施の形態の変形が明らかとなろう。本発明者は、熟練者が適宜このような変形を適用することを期待しており、本明細書中で具体的に説明される以外の方法で本発明が実施されることを予定している。したがって本発明は、準拠法で許されているように、本明細書に添付された請求項に記載の内容の修正および均等物をすべて含む。さらに、本明細書中で特に指摘したり、明らかに文脈と矛盾したりしない限り、すべての変形における上記要素のいずれの組合せも本発明に包含される。
【符号の説明】
【００７２】
１  ラップフィルム供給具
２  ラップ巻回体
３  ラップフィルム収納容器
４  底板
５  前板
６  後板
７  副前板
１０  巻芯
１２  ラップフィルム
１５  容器本体
２０Ａ、Ｂ  フラップ
２１Ａ、Ｂ  基部
２２  蓋板
２３  蓋前板
２４  カッター
２５Ａ、Ｂ  第１の凸部
２６Ｂ  第２の凸部
２７Ｂ  第３の凸部
２８  エンボス加工部
２９Ａ  刳貫部
３０  一面
３１  一辺
３２  他の一辺
３３  フィルム保持部
３４Ｂ  第１の刳貫部
３５Ｂ  第２の刳貫部
３６  先端部
３７  先端
３８  第１の連接辺
３９  第２の連接辺
４０  一辺
４１、４２、４３  先端
４１Ｎ、４２Ｎ、４３Ｎ  法線
４４Ｂ、４５Ｂ  底点
４６Ｂ  端部
４７  切り込み
４９  切り込み
５１Ａ、５２Ａ  凸エンボス
５１Ｂ１、５１Ｂ２、５１Ｂ３、５２Ｂ１、５２Ｂ２、５３Ｂ３  凸エンボス
５４  一辺
６１、６２、６４、６４  短辺
７１、７２  側面板
７３、７４  蓋側面板
８０  鋸刃
８１Ｂ、８２Ｂ  外縁部  
９１Ｂ、９２Ｂ  フィルムつまみ部  
【図１】
2012063673.tif 000003
【図２】
2012063673.tif 000004
【図３】
2012063673.tif 000005
【図４】
2012063673.tif 000006
【図５】
2012063673.tif 000007
【図６】
2012063673.tif 000008
【図７】
2012063673.tif 000009
【図８】
2012063673.tif 000010
【図９】
2012063673.tif 000011
【図１０】
2012063673.tif 000012
【国際調査報告】
2012063673.tif 000013
2012063673.tif 000014